(57)【要約】      （修正有）【課題】取り扱いが要倒で危険な錘を使用することなく、また、簡便、容易に運搬でき、しかも自由に牽引力の調節が可能で、長時間にわたる使用においても苦痛を強いられることのない胸囲バンド式脊椎牽引器具と座椅子を提供する。【解決手段】胸囲固定帯１は、患者Ｈの胸囲を締め付けて拘束するために、内側面に複数の風船式エアーパッドが貼着し、この風船式エアーパッドに空気を注入して膨張させるための手動式エアーポンプ７を取り付ける。また、患者Ｈの腋と背面を支える緩衝用エアークッション８ａ、患者Ｈの背面から肩越しに巻回して身体の前面を固定するための前面固定バンド９を取り付ける。座椅子本体は、背もたれ部２が背面フレーム５ｂ上を摺動して上下に伸縮するように構成され、胸囲固定帯１を係止金具１ａでもって背もたれ部２の上端部に引っ掛けて係止する。【選択図】図７
2013123581.tif 000002
【特許請求の範囲】
【請求項１】
所定の高さ位置に懸吊可能に形成された懸垂部と、患者の胸囲を締め付けて拘束する胸囲固定部と、この胸囲固定部の内側面に設けられた風船式エアーパッドと、この風船式エアーパッドに空気を注入するエアーポンプと、患者の腋と背面を支える緩衝用エアーパッドと、患者の背面から肩越しに巻回して身体の前面を固定する前面固定バンドとからなり、これら胸囲固定部並びに前面固定バンドの端部が止着及び離反可能にされていることを特徴とする胸囲バンド式脊椎牽引器具。
【請求項２】
背もたれ部が伸縮可能に構成され、当該背もたれ部に請求項１記載の胸囲バンド式脊椎牽引器具を止着してなることを特徴とする座椅子。
【請求項３】
肘掛の操作によって背もたれ部を上下移動可能にしたことを特徴とする請求項２記載の座椅子。
【発明の詳細な説明】
【技術分野】
【０００１】
本発明は、椎間板ヘルニアや腰痛患者の腰部をはじめとする脊椎の牽引治療が家庭内でも簡単に行えるようにした胸囲バンド式脊椎牽引器具及びこれを取付けた座椅子に関するものである。
【背景技術】
【０００２】
腰椎椎間板障害、腰椎神経根障害、根性坐骨神経痛、腹部筋膜性腰痛、急性腰痛（いわゆるギックリ腰）、腰痛症等の腰部においての、また、頚腕症候群、頚椎変形性脊椎症、頸部捻挫後遺症（いわゆる鞭打ち症）、頸部痛・肩こり、筋緊張性頭痛等の頸部においての身体各部に生じた障害等は、そのほとんどが物理的成因によるものであるために、これらに対する治療は、物理的な牽引治療法によることの効果が大きいことは従来から知られている。これらの症状は軽度の場合、通院して牽引治療を行うのが普通であるが、治療に長期間を要し、患者の時間的・経済的な負担が大きい。したがって、医師の指導の下に一般家庭においても簡単にして安全しかも効果的に牽引治療ができれば、これらの症状に悩む多くの人にとって望ましいことである。
【０００３】
牽引治療は、その治療施設である整形外科病院、リハビリテーション施設等に通院して継続的に行われるが、例えば、整形外科では大きなベッドに牽引装置を装着し、足腰を引っ張って矯正治療する方法が多く採用されている。牽引装置は、ベッドの端に滑車が配置されていて、この滑車には一端に錘を固定したロープが巻き掛けられ、ロープの他端にはバンドが取付けられたものである。そして、患者はベッドに仰臥し、腰や足等、必要な箇所にバンドを掛け、胴体をベッド本体に固定された固定バンドで締め付けて、吊り下げた錘によって牽引するようにされている。
【０００４】
このように、身体を引っ張るだけであれば、一般家庭においても行うことが可能であり、通院の必要もないが、病院に設置されているような大きな治療用ベッドを家庭に置くことは困難である。また、ベッドに装着されている牽引装置は、錘を吊り下げたロープを滑車に掛けるため、使用中に身体を動かせばロープが滑車から離脱してしまう事態が生じたり、錘を取り扱うことが面倒であると共に、自由に牽引力の調整ができず、ベッドの大きさのみならず取り扱い上も不便である。
【０００５】
こうした問題を解消し、一般家庭内においても牽引療法ができるように、例えば、座椅子の枕、ベース板、背もたれに身体を拘束するベルトを取り付け、ピニオン・ラック式のジャッキをハンドルで操作して牽引するもの（特許文献１参照。）。腰固定バンドを備えたスライダー座部を座部枠に取り付けスライドレールに嵌め込んでスクリュウ式モーター駆動用装置を座部枠に取り付けスライダー座部に連結させスライド可能にして腰椎を牽引するもの（特許文献２参照。）。被治療者に装着される牽引ベルトと牽引支持材とを牽引部品によって連繋するものとして躯体フレームに付設するもの（特許文献３参照。）。座椅子に座った状態で背もたれの左右から出るハンドルを回転させて上に引き上げることで、高さが調整できて手でぶら下がるもの（特許文献４参照。）。仰向けに寝て腰部を牽引装置のバンドで固定し、肘掛を脇の下で挟み、上半身を固定させ、牽引用台車を電動モーターを使用して稼動させて牽引するもの（特許文献５参照。）等、種々提案されている。
【先行技術文献】
【特許文献】
【０００６】
【特許文献１】実開平１−１５５４２２号公報
【特許文献２】特開２０００−９９４２８号公報
【特許文献３】実公平０７−１７２９８号公報
【特許文献４】特開２００７−２３６８３８号公報
【特許文献５】実用新案登録第３１５３２３５号公報
【発明の概要】
【発明が解決しようとする課題】
【０００７】
しかしながら、モーター式のものは高価な上に大型となる。また、錘を使用するものでは、牽引重量分だけの錘が必要となる。また、短時間の牽引では体重の半分位で牽引する必要があるので、錘を一人で持ち上げる力を要するばかりでなく危険である。加えて錘式は牽引重量が一定であるため時間が経過するにつれて患者に苦痛を強いるという課題があった。本発明は上記従来の課題に鑑み、取り扱いが要倒で危険な錘を使用することなく、また、簡便、容易に運搬でき、しかも自由に牽引力の調節が可能で、長時間にわたる使用においても苦痛を強いられることのない胸囲バンド式脊椎牽引器具及び不使用時にはリクライニング家具としても利用できる胸囲バンド式脊椎牽引器具を用いた座椅子を提供することを目的とする。
【課題を解決するための手段】
【０００８】
このため、本発明の胸囲バンド式脊椎牽引器具は、所定の高さ位置に懸吊可能に形成された懸垂部と、患者の胸囲を締め付けて拘束する胸囲固定部と、この胸囲固定部の内側面に設けられた風船式エアーパッドと、この風船式エアーパッドに空気を注入するエアーポンプと、患者の腋と背面を支える緩衝用エアーパッドと、患者の背面から肩越しに巻回して身体の前面を固定する前面固定バンドとからなり、これら胸囲固定部並びに前面固定バンドの端部が止着及び離反可能にされていることを特徴とする。
【０００９】
また、本発明の座椅子は、背もたれ部が伸縮可能に構成され、当該背もたれ部に上記胸囲バンド式脊椎牽引器具を止着してなることを特徴とする。さらに、肘掛の操作によって背もたれ部を上下移動可能にしたことを特徴とする。
【発明の効果】
【００１０】
本発明は、以下の優れた効果を奏する。
（１）公知のぶら下がり健康器具や座椅子に装着するだけで容易にぶら下がり状態を得られ、背筋、背骨の牽引治療を行うことができる。
（２）錘やモーターを使用しないで極めて簡単かつ安全に牽引することができる。
（３）運搬や携帯が簡便かつ容易にできる。
（４）牽引力は少なくとも患者の自重以上にはならないので、長時間にわたる使用においても苦痛を強いられることがない。
【図面の簡単な説明】
【００１１】
【図１】本発明に係る座椅子の一実施例を模式的に示す側面図である。
【図２】本発明に係る座椅子の一実施例を模式的に示す正面図である。
【図３】本発明に係る胸囲固定帯を模式的に示す側面図である。
【図４】（ａ）は本発明に係る胸囲固定帯を締め付けた状態を示す平面図、（ｂ）は開放した状態を示す平面図である。
【図５】座椅子のフレームの初期状態を示す（ａ）は側面図、（ｂ）は正面図である。
【図６】座椅子のフレームが伸長した状態を示す（ａ）は側面図、（ｂ）は正面図である。
【図７】本発明に係る座椅子の使用状態を示す側面図である。
【図８】本発明に係る胸囲固定帯の他の使用方法を示す側面図である。
【発明を実施するための形態】
【００１２】
以下、図面に示す実施例に基づいて本発明の実施の形態について説明する。
【実施例】
【００１３】
図１乃至図２において、１は胸囲固定帯、２は背もたれ部、３は座部、４は肘掛兼上下動ハンドル、５ａ、５ｂは座椅子本体の躯体フレームを夫々示している。背もたれ２は、座部３に対し任意の傾斜角度を可変に連結されており、背もたれ部２には胸囲固定帯１が所定高さ位置へ、懸吊可能な懸垂部としての係止金具１ａでもって、背もたれ部２の上端部に引っ掛けて係止されている。この胸囲固定帯１は患者Ｈの胸囲をソフトに締め付けて拘束するために、内側面に複数の風船式エアーパッド６が貼着され、この風船式エアーパッド６に空気を注入して膨張させるための手動式エアーポンプ７が夫々取り付けられている。尚、図中、８ａ並びに８ｂは夫々患者Ｈの腋と背面を支える緩衝用エアークッション、９は、患者Ｈの背面から肩越しに巻回して身体の前面を固定するための前面固定バンドである。また、これら、胸囲固定帯１並びに前面固定バンド９は、面ファスナー等の公知の止着具１０が端部に装着されて止着及び離反できるようにされている。
【００１４】
図３乃至図４に示すように、胸囲固定帯１は、患者Ｈの胸部に巻回できる広幅状に形成して腋下部分を支持し、患者Ｈの胸部に装着した状態において胸部のみが背もたれ部２に固定される。ところで、この座椅子本体は、背もたれ部２が背面フレーム５ａ上を摺動して上下に伸縮するように構成されているわけであり、その機構の一例を示しているのが図５及び図６である。同図に示す牽引方式はリンク機構を用いた具体例であって、ボールネジ１１を回転させることで、両リンク１２、１３は伸縮する。この機構は車両を持ち上げる際に使用されるジャッキと同じ原理であって、リンク１２、１３は夫々１２ａ、１２ｂ、１３ａ、１３ｂのメンバーからなり、リンクの左右両端はボールネジ１１に螺合した上下動ハンドル４のフレーム４ａに連結され、他端は摺動フレーム２ａと背面フレーム５ａの連結金具１４、１５に夫々止着されている。ボールネジ１１には、その中間点を基点として夫々右ネジ、左ネジが形成され、端部に形成されたギアに上下動ハンドルフレーム４ａのギアが噛み合って、これを上下動することにより摺動フレーム３ａが上下に摺動して摺動フレーム２ａ（背もたれ部２）が伸縮できるようにされている。すなわち、図７に示すように、患者が座椅子の座部３に座った状態で肘掛４を上下動すると背もたれ部２が上下動できるようにされている。
【００１５】
座椅子の躯体フレーム５ａ及び５ｂは、連繋部分を角度自在に連結するリクライニング式の公知の構造のものが用いられる。それは、例えばラチェット歯とこれに噛合する係合爪片とを有し、背もたれ２を座部３に対して適当な角度位置で段階的に停止係合させる一方、座部３に対して背もたれ部２を十分に屈曲して折り畳んだときに全ての係合状態を解除し、座部３に対して背もたれ部２をほぼ水平状に復帰させ、再度の角度調整で停止係合できるものとしている。躯体フレーム５ａ及び５ｂは、患者Ｈに凹凸等による不快感を与えないように、高発泡性の合成樹脂等の適当な弾性力を備えたクッション材によって被装されている。
【００１６】
以上のように構成された座椅子によれば、座椅子に座ったまま、患者Ｈの上肢が背もたれ部２にぶら下がった状態になり、背筋、背骨を伸ばすことができる。つまり、患者Ｈは、座部３に着座した状態で胸囲固定帯１を装着し、肘掛４を上下動させることで背もたれ部２を伸長させる。例えば、２０ｃｍ〜２５ｃｍ程度引き上げて座部３から少し腰を浮かせた状態にするだけで、患者Ｈの自重により背筋や背骨を牽引した状態と同様の効果を得ることができる。その際、図７に示すような、重量あるいは高さ調整の枕１６を使用すれば牽引加減の微調整を行うことができる。
【００１７】
尚、図８に示すように、胸囲固定帯１のみを患者Ｈに装着し、公知のぶら下がり健康器具等の比較的背丈の高いパイプフレーム１７に懸垂させて使用することも可能である。この場合、患者Ｈの脚の屈曲状態で牽引強度を調整できるので、身長が異なる患者Ｈに対し、また、治療、治癒の状況に伴う牽引力の微妙な強弱にも対応可能となる。
【符号の説明】
【００１８】
１    胸囲固定帯
１ａ  係止金具（懸垂部）
２    背もたれ部
２ａ  摺動フレーム
３    座部
４    肘掛兼上下動ハンドル
４ａ  ハンドルフレーム
５ａ  背面フレーム
５ｂ  座部フレーム
６    風船式エアーパッド
７    手動式エアーポンプ
８ａ  緩衝用エアークッション
８ｂ  緩衝用エアークッション
９    前面固定バンド
１０  止着具（面ファスナー）
１１  ボールネジ
１２  リンク
１２ａリンクメンバー
１２ｂリンクメンバー
１３  リンク
１３ａリンクメンバー
１３ｂリンクメンバー
１４  連結金具
１５  連結金具
１６  枕
１７  パイプフレーム
【図１】
2013123581.tif 000003
【図２】
2013123581.tif 000004
【図３】
2013123581.tif 000005
【図４】
2013123581.tif 000006
【図５】
2013123581.tif 000007
【図６】
2013123581.tif 000008
【図７】
2013123581.tif 000009
【図８】
2013123581.tif 000010